(57)【要約】【課題】バックライトアセンブリ及びこれを含む表示装置を提供する。【解決手段】本発明の一実施形態によるバックライトアセンブリは、光を放出する光源部、光源部から放出された光が入射する入光面、入光面と対向する対向面、及び入光面と対向面を連結し、入光面に入射された光が出射される出光面を含む導光板、出光面上に位置し、出光面から出射される光の波長を変換する波長変換部材と、対向面上に位置し、対向面に入射する光を反射する第１反射部材を含み、第１反射部材は対向面と対向する複数の第１カラーパターンを含む。【選択図】図１
2015149272.tif 000002
【特許請求の範囲】
【請求項１】
光を放出する光源部と、
前記光源部から放出された光が入射する入光面、前記入光面と対向する対向面、及び前記入光面と前記対向面を連結し、前記入光面に入射された光が出射される出光面を含む導光板と、
前記出光面上に位置し、前記出光面から出射される光の波長を変換する波長変換部材と、
前記対向面上に位置し、前記対向面に入射する光を反射する第１反射部材を含み、
前記第１反射部材は、前記対向面と対向する複数の第１カラーパターンを含むバックライトアセンブリ。
【請求項２】
前記波長変換部材は、量子ドットを含む請求項１に記載のバックライトアセンブリ。
【請求項３】
前記波長変換部材は、前記出光面から出射される光の色を白色に変換する請求項１に記載のバックライトアセンブリ。
【請求項４】
前記複数の第１カラーパターンは、前記出光面と接する前記対向面の一辺及び前記一辺と対向する他辺と隣接する領域上にのみ位置する請求項１に記載のバックライトアセンブリ。
【請求項５】
前記複数の第１カラーパターンの面積または厚さは、前記出光面と接する前記対向面の一辺と平行であり、前記対向面を両分する仮想の線に行くほど減少する請求項１に記載のバックライトアセンブリ。
【請求項６】
前記第１反射部材は、第１反射層、及び前記第１反射層上に位置する第１接着層をさらに含み、
前記複数の第１カラーパターンは、前記第１反射層と前記第１接着層との間に介在する請求項１に記載のバックライトアセンブリ。
【請求項７】
前記導光板は、前記入光面の側辺及び前記対向面の側辺を連結し、互いに対向する第１側面及び第２側面をさらに含み、
前記第１側面上に位置し、前記第１側面に入射された光を反射する第２反射部材と、
前記第２側面上に位置し、前記第２側面に入射された光を反射する第３反射部材をさらに含み、
前記第２反射部材は、前記第１側面と対向する複数の第２カラーパターンを含み、
前記第３反射部材は、前記第２側面と対向する複数の第３カラーパターンと、を含む請求項１に記載のバックライトアセンブリ。
【請求項８】
前記第２反射部材は、第２反射層、及び前記第２反射層上に位置する第２接着層をさらに含み、
前記複数の第２カラーパターンは、前記第２反射層と前記第２接着層との間に介在し、
前記第３反射部材は第３反射層、及び前記第３反射層上に位置する第３接着層をさらに含み、
前記複数の第３カラーパターンは、前記第３反射層と前記第３接着層との間に介在する請求項７に記載のバックライトアセンブリ。
【請求項９】
前記複数の第２カラーパターン及び第３カラーパターンは、前記第１カラーパターンと実質的に同じ物質からなる請求項７に記載のバックライトアセンブリ。
【請求項１０】
前記複数の第２カラーパターン及び第３カラーパターンの面積または厚さは、前記光源部から遠くなるほど減少する請求項７に記載のバックライトアセンブリ。
【発明の詳細な説明】
【技術分野】
【０００１】
本発明は、バックライトアセンブリ及びこれを含む表示装置に関する。
【背景技術】
【０００２】
表示装置はデータを視覚的に表示する装置である。表示装置としては、液晶表示装置（Ｌｉｑｕｉｄ  Ｃｒｙｓｔａｌ  Ｄｉｓｐｌａｙ）、電気泳動表示装置（Ｅｌｅｃｔｒｏｐｈｏｒｅｔｉｃ  Ｄｉｓｐｌａｙ）、有機発光表示装置（Ｏｒｇａｎｉｃ  Ｌｉｇｈｔ  Ｅｍｉｔｔｉｎｇ  Ｄｉｓｐｌａｙ）、無機ＥＬ表示装置（Ｅｌｅｃｔｒｏ  Ｌｕｍｉｎｅｓｃｅｎｔ  Ｄｉｓｐｌａｙ）、電界放出表示装置（Ｆｉｅｌｄ  Ｅｍｉｓｓｉｏｎ  Ｄｉｓｐｌａｙ）、表面伝導電子放出表示装置（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）、プラズマ表示装置（Ｐｌａｓｍａ  Ｄｉｓｐｌａｙ）、及び陰極線管表示装置（Ｃａｔｈｏｄｅ  Ｒａｙ  Ｄｉｓｐｌａｙ）などがある。
【０００３】
このような表示装置のうち液晶表示装置は、透明な二つの基板の間に液晶層を配置し、液晶層の駆動に応じて各画素別に光透過率を調節することによって、所望する画像を表示できる表示装置である。
【０００４】
このような液晶表示装置は、液晶自体は発光できないため、液晶層に光を提供するバックライトアセンブリを備える。このようなバックライトアセンブリは、一般的には光源部、反射板、拡散板、導光板、及び多様な光学シートなどを含む。
【０００５】
バックライトアセンブリは、光源部の位置によって直下型とエッジ型の二種類に分けられる。直下型バックライトアセンブリは、光源部が拡散板の下面と対向して配置されるものであり、エッジ型バックライトアセンブリは、光源部が導光板の側面と対向して配置されるものである。
【０００６】
一般的には、エッジ型バックライトアセンブリに使用される光源部は青色の光を放出する光源及び光源上に位置して青色の光を白色の光に変換する波長変換物質を含む。このため、光源部は導光板に白色の光を提供する。
【発明の概要】
【発明が解決しようとする課題】
【０００７】
しかし、波長変換物質が光源と隣接するように位置すると、光源による劣化などによって波長変換物質の特性が低下する。したがって、波長変換物質を光源と一定の距離以上離隔させるため、波長変換物質を含む別途の波長変換部材を導光板の上面上に配置する。
【０００８】
このような場合、光源部は導光板に白色ではない青色の光を提供する。導光板に提供された青色の光は大部分が導光板の上面上に配置された波長変換物質を通過して白色の光に変換されるが、光源部と対向する導光板の側面を除いた他の側面部から青色の光が漏れ得る。
【０００９】
このような青色の光の漏出を防止するため、波長変換部材の面積を導光板の上面の面積より拡張させるが、波長変換部材の左右移動による青色の光の漏出可能性は依然として存在する。また、波長変換部材の面積を導光板の上面の面積より拡張させると、狭いベゼルを有する表示装置を実現することが難しくなる。
【００１０】
これに、本発明が解決しようとする課題は、導光板の上面上に波長変換部材を配置した構造で、導光板の側面部から発生し得る青色光の漏出を防止できるバックライトアセンブリを提供することにある。
【００１１】
また、本発明が解決しようとする他の課題は、導光板の上面上に波長変換部材を配置した構造で、導光板の側面部から発生し得る青色光の漏出を防止できる表示装置を提供することにある。
【００１２】
本発明の課題は、以上で言及した技術的課題に制限されず、言及されていないまた他の技術的課題は、次の記載から当業者に明確に理解できるであろう。
【課題を解決するための手段】
【００１３】
前記課題を達成するための本発明の一実施形態によるバックライトアセンブリは光を放出する光源部、光源部から放出された光が入射する入光面、入光面と対向する対向面、及び入光面と対向面を連結し、入光面に入射された光が出射される出光面を含む導光板、出光面上に位置し、出光面から出射される光の波長を変換する波長変換部材と、対向面上に位置し、対向面に入射する光を反射する第１反射部材を含み、第１反射部材は対向面と対向する複数の第１カラーパターンを含む。
【００１４】
前記波長変換部材は量子ドットを含み得る。
【００１５】
前記波長変換部材は出光面から出射される光の色を白色に変換し得る。
【００１６】
前記複数の第１カラーパターンは出光面と接する対向面の一辺及び一辺と対向する他辺と隣接する領域上にのみ位置し得る。
【００１７】
前記複数の第１カラーパターンの面積または厚さは出光面と接する対向面の一辺と平行であり、対向面を両分する仮想の線に行くほど減少し得る。
【００１８】
前記第１反射部材は第１反射層、及び第１反射層上に位置する第１接着層をさらに含み、複数の第１カラーパターンは第１反射層と第１接着層との間に介在し得る。
【００１９】
前記複数の第１カラーパターンは黄色の蛍光体を含み得る。
【００２０】
前記光源部は青色の光を放出し得る。
【００２１】
前記導光板は入光面の側辺及び対向面の側辺を連結し、互いに対向する第１側面及び第２側面をさらに含み、バックライトアセンブリは第１側面上に位置し、第１側面に入射された光を反射する第２反射部材と、第２側面上に位置し、第２側面に入射された光を反射する第３反射部材をさらに含み、第２反射部材は第１側面と対向する複数の第２カラーパターンを含み、第３反射部材は第２側面と対向する複数の第３カラーパターンを含み得る。
【００２２】
ここで、前記第２反射部材は、第２反射層、及び第２反射層上に位置する第２接着層をさらに含み、複数の第２カラーパターンは、第２反射層と第２接着層との間に介在し、第３反射部材は第３反射層、及び第３反射層上に位置する第３接着層をさらに含み、複数の第３カラーパターンは、第３反射層と第３接着層との間に介在し得る。
【００２３】
また、前記複数の第２カラーパターン及び第３カラーパターンは第１カラーパターンと実質的に同じ物質からなる。
【００２４】
また、前記複数の第２カラーパターン及び第３カラーパターンの面積または厚さは光源部から遠くなるほど減少し得る。
【００２５】
前記課題を達成するための本発明の他の実施形態によるバックライトアセンブリは、上面、上面と対向する下面と、上面及び下面を連結する複数の側面を含む導光板、導光板の複数の側面のうち何れか一つ上に位置し、導光板に光を提供する光源部と、導光板の複数の側面のうち残り上に位置し、導光板に提供された光を反射する少なくとも一つの反射部材を含み、反射部材は導光板と対向する複数のカラーパターンを含む。
【００２６】
前記バックライトアセンブリは導光板の上面上に位置し、導光板から出射される光の波長を変換する波長変換部材をさらに含み得る。
【００２７】
ここで、前記波長変換部材は量子ドットを含み得る。
【００２８】
前記複数のカラーパターンは導光板の上面及び下面と隣接する領域上にのみ位置し得る。
【００２９】
前記反射部材は、反射層、反射層上に位置する接着層をさらに含み、複数のカラーパターンは反射層と接着層との間に介在し得る。
【００３０】
前記他の課題を達成するための本発明の一実施形態によるバックライトアセンブリは、画像を表示する表示パネルと、表示パネルに光を提供するバックライトアセンブリを含み、バックライトアセンブリは、光を放出する光源部、光源部から放出された光が入射する入光面、入光面と対向する対向面と、入光面と対向面を連結し、入光面に入射された光が出射される出光面を含む導光板、出光面上に位置し、出光面から出射される光の波長を変換する波長変換部材と、対向面上に位置し、対向面に入射する光を反射する第１反射部材を含み、第１反射部材は対向面と対向する複数の第１カラーパターンを含む。
【００３１】
前記波長変換部材は量子ドットを含み得る。
【００３２】
前記導光板は入光面の側辺及び対向面の側辺を連結し、互いに対向する第１側面及び第２側面をさらに含み、表示装置は第１側面上に位置し、第１側面に入射された光を反射する第２反射部材と、第２側面上に位置し、第２側面に入射された光を反射する第３反射部材をさらに含み、第２反射部材は第１側面と対向する複数の第２カラーパターンを含み、第３反射部材は第２側面と対向する複数の第３カラーパターンを含み得る。
【００３３】
その他実施形態の詳細な内容は詳細な説明及び図面に含まれている。
【発明の効果】
【００３４】
本発明の実施形態によれば、少なくとも次のような効果がある。
すなわち、導光板の上面上に波長変換部材を配置する構造で、導光板の側面部から発生し得る青色光の漏出を防止できる。
本発明による効果は、以上で例示された内容によって制限されず、さらに多様な効果が本明細書内に含まれている。
【図面の簡単な説明】
【００３５】
【図１】本発明の一実施形態による表示装置の分解斜視図である。
【図２】図１に示す表示装置の波長変換部材の断面図である。
【図３】図１に示す表示装置のバックライトアセンブリの分解斜視図である。
【図４】図３に示すバックライトアセンブリの第１反射部材の正面図である。
【図５】図４に示すＶ−Ｖ’線に沿って切断した断面図である。
【図６】図３に示すバックライトアセンブリの平面図である。
【図７】図６に示すＶＩＩ−ＶＩＩ’線に沿って切断した断面図である。
【図８】本発明の他の実施形態によるバックライトアセンブリの第１反射部材の正面図である。
【図９】本発明のまた他の実施形態によるバックライトアセンブリの第１反射部材の正面図である。
【図１０】図９に示す第１反射部材を適用したバックライトアセンブリの断面図である。
【図１１】本発明のまた他の実施形態による第１反射部材の正面図である。
【図１２】本発明のまた他の実施形態による第１反射部材の正面図である。
【図１３】本発明のまた他の実施形態による第１反射部材の正面図である。
【図１４】本発明のまた他の実施形態による第１反射部材の正面図である。
【図１５】本発明のまた他の実施形態による第１反射部材の正面図である。
【図１６】本発明のまた他の実施形態による第１反射部材ら正面図である。
【図１７】図１６に示すＸＶＩＩ−ＸＶＩＩ’線に沿って切断した断面図である。
【図１８】本発明のまた他の実施形態によるバックライトアセンブリの分解斜視図である。
【図１９】図１８のバックライトアセンブリの第２反射部材の正面図である。
【図２０】本発明のまた他の実施形態によるバックライトアセンブリの第２反射部材の正面図である。
【発明を実施するための形態】
【００３６】
本発明の利点及び特徴、これらを達成する方法は添付する図面と共に詳細に後述する実施形態において明確になるであろう。しかし、本発明は、以下で開示する実施形態に限定されるものではなく、互いに異なる多様な形態で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。
【００３７】
素子（ｅｌｅｍｅｎｔｓ）または層が他の素子または層の「上（ｏｎ）」と指称された場合、他の素子の真上にまたは中間に他の層または他の素子を介在する場合のすべてを含む。明細書全体において、同一の参照符号は同一の構成要素を指称する。
【００３８】
第１、第２などが多様な素子、構成要素を叙述するために使用されるが、これら素子、構成要素はこれらの用語によって制限されないことはいうまでもない。これらの用語は、単に一つ構成要素を他の構成要素と区別するために使用するものである。したがって、以下で言及される第１構成要素は本発明の技術的思想内で第２構成要素であり得ることは勿論である。
【００３９】
以下、図面を参照して本発明の実施形態について説明する。
【００４０】
図１は、本発明の一実施形態による表示装置の分解斜視図である。図１を参照すると、本発明の一実施形態による表示装置は、表示パネル１００及びバックライトアセンブリを含む。また、本発明の一実施形態による表示装置はトップシャーシ９００ａ及びボトムシャーシ９００ｂをさらに含み得る。
【００４１】
表示パネル１００は画像を表示するパネルであって、ＬＣＤパネル（Ｌｉｑｕｉｄ  Ｃｒｙｓｔａｌ  Ｄｉｓｐｌａｙ  Ｐａｎｅｌ）、電気泳動表示パネル（Ｅｌｅｃｔｒｏｐｈｏｒｅｔｉｃ  Ｄｉｓｐｌａｙ  Ｐａｎｅｌ）、ＯＬＥＤパネル（Ｏｒｇａｎｉｃ  Ｌｉｇｈｔ  Ｅｍｉｔｔｉｎｇ  Ｄｉｏｄｅ  Ｐａｎｅｌ）、ＬＥＤパネル（Ｌｉｇｈｔ  Ｅｍｉｔｔｉｎｇ  Ｄｉｏｄｅ  Ｐａｎｅｌ）、無機ＥＬパネル（Ｅｌｅｃｔｒｏ  Ｌｕｍｉｎｅｓｃｅｎｔ  Ｄｉｓｐｌａｙ  Ｐａｎｅｌ）、ＦＥＤパネル（Ｆｉｅｌｄ  Ｅｍｉｓｓｉｏｎ  Ｄｉｓｐｌａｙ  Ｐａｎｅｌ）、ＳＥＤパネル（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ  Ｐａｎｅｌ）、ＰＤＰ（Ｐｌａｓｍａ  Ｄｉｓｐｌａｙ  Ｐａｎｅｌ）、ＣＲＴ（Ｃａｔｈｏｄｅ  Ｒａｙ  Ｔｕｂｅ）表示パネルであり得る。以下では、本発明の一実施形態による表示装置として、液晶表示装置を例に挙げて説明し、表示パネル１００もまたＬＣＤパネルとして説明するが、本発明の表示装置及び表示パネル１００はこれに制限されない。多様な方式の表示装置及び表示パネルが使用され得る。
【００４２】
表示パネル１００は画像が表示される表示領域及び画像が表示されない非表示領域を含み得る。また、表示パネル１００は第１基板１１０、第１基板１１０に対向する第２基板１２０、及び第１基板１１０と第２基板１２０との間に介在する液晶層（図示せず）を含み得る。
【００４３】
第１基板１１０及び第２基板１２０は直六面体形状であり得る。図１では説明の便宜上、第１基板１１０及び第２基板１２０の形状を直六面体に示すが、これに限定されない。表示パネル１００の形状に応じて第１基板１１０及び第２基板１２０は多様な形状に製造され得る。
【００４４】
第１基板１１０と第２基板１２０との間には液晶層が介在し得る。また、第１基板１１０と第２基板１２０との間にはシーラントなどのようなシーリング部材が第１基板１１０と第２基板１２０の外周に沿って配置され、第１基板１１０と第２基板１２０を相互合着して密封できる。
【００４５】
図１に示していないが、表示パネル１００は第１基板１１０または第２基板１２０に付着した駆動部と軟性回路基板を含み得る。駆動部は表示領域で画像を表示するために必要な駆動信号などの多様な信号を印加する。軟性回路基板は駆動部に各種信号を出力する。
【００４６】
バックライトアセンブリは表示パネル１００の下部に配置される。バックライトアセンブリは表示パネル１００に光を提供する。バックライトアセンブリは、光源部２００、導光板３００、反射部材４００、及び波長変換部材５００を含む。また、バックライトアセンブリは、光学シート６００、反射板７００、及びモールドフレーム８００をさらに含み得る。
【００４７】
光源部２００は光を発生させて発生した光を導光板３００に照射する。光源部２００は、導光板３００の一側面、すなわち、入光面３１０上に配置される。例示的な実施形態で、光源部２００は導光板３００の一つの長辺に対応するように配置され得るが、これに限定されない。導光板３００の一つの短辺に対応するように配置され得る。
【００４８】
光源部２００は回路基板２１０及び回路基板２１０上に配置された複数の光源２２０を含み得る。
【００４９】
回路基板２１０は導光板３００の入光面３１０上に配置される。回路基板２１０は電源（図示せず）と連結され、電気エネルギーを光源２２０に伝達する。導光板３００の入光面３１０と対向する回路基板２１０の一面の形状は導光板３００の入光面３１０の形状に対応する。例示的な実施形態で、前記回路基板２１０の一面は導光板３００の入光面３１０と概ね平行である。また、前記回路基板２１０の一面の面積は導光板３００の入光面３１０の面積と実質的に同じである。
【００５０】
複数の光源２２０は回路基板２１０の一面上に配置される。複数の光源２２０は回路基板２１０を介して伝達された電気エネルギーを光エネルギーに変換させる。複数の光源２２０は互いに一定の間隔離隔して配置される。また、複数の光源２２０は一列に配置される。また、複数の光源２２０は対向する導光板３００の入光面３１０の形状に対応するように配置される。また、複数の光源２２０は発光ダイオード（Ｌｉｇｈｔ  Ｅｍｉｔｔｉｎｇ  Ｄｉｏｄｅ、ＬＥＤ）であり得る。また、複数の光源２２０は青色の光を放出する。例示的な実施形態で、光源２２０は青色の光を放出する青色発光ダイオードであり得るが、これに限定されない。図１に示す例示的な実施形態では、光源２２０と接触する回路基板２１０の一面が入光面３１０と概ね平行であるが、これに限定されない。光源２２０と接触する回路基板２１０の一面が入光面３１０と概ね垂直である場合もある。すなわち、光源部２００は側面発光（ｓｉｄｅ  ｅｍｉｔｔｉｎｇ）構造を有する。この際、光源２２０から放出された光を入光面３１０の方向にガイドするための別途の反射膜が光源２２０上に形成され得る。
【００５１】
導光板３００は光源部２００の側部に位置する。すなわち、導光板３００は光源部２００と実質的に同じ平面上に位置する。導光板３００は光源部２００から照射された光をガイドして表示パネル１００に伝達する。
【００５２】
導光板３００は透明な材質からなる。例示的な実施形態で、導光板３００はポリメチルメタクリレート（Ｐｏｌｙｍｅｔｈｙｌ−Ｍｅｔｈａｃｒｙｌａｔｅ、ＰＭＭＡ）からなるが、これに限定されない。光をガイドする多様な透明物質からなる。また、導光板３００は剛性（ｒｉｇｉｄ）物質からなるが、これに限定されない。フレキシブルな物質からなる場合もある。
【００５３】
導光板３００は直六面体のプレート形状を有する。本明細書では直六面体のプレート形状を有する導光板３００を中心に叙述するが、これに限定されない。多様な形状を有する導光板３００が適用され得るのはもちろんである。
【００５４】
以下では、図３を参照して導光板３００についてさらに詳細に説明する。図３は、図１に示す表示装置のバックライトアセンブリの分解斜視図である。図３を参照すると、導光板３００は、入光面３１０、対向面３２０、第１側面３３０、第２側面３４０、支持面３５０、及び出光面３６０を含み得る。
【００５５】
入光面３１０は、光源部２００から照射された光が入射する導光板３００の一部分であり得る。入光面３１０は導光板３００のいくつかの側面のうち一つであり得る。入光面３１０は導光板３００の長辺に対応する側面であり得るが、これに限定されない。導光板３００の短辺に対応する側面であり得る。
【００５６】
対向面３２０は、導光板３００で入光面３１０と対向する部分であり得る。対向面３２０は導光板３００のいくつかの側面のうち一つであり得る。対向面３２０は光源部２００から照射され、一方向に進んでいた光の方向が前記一方向と逆方向になる部分であり得る。すなわち、対向面３２０は光源部２００から最も遠く離隔した導光板３００の一部分であり得る。
【００５７】
第１側面３３０及び第２側面３４０は入光面３１０の側辺と対向面３２０の側辺を連結する。第１側面３３０及び第２側面３４０はそれぞれ導光板３００のいくつかの側面のうち一つであり得る。第１側面３３０及び第２側面３４０は互いに対向する。ここで、互いに対向する第１側面３３０及び第２側面３４０は互いに概ね平行である。また、第１側面３３０及び第２側面３４０は、導光板３００の中心を基準に対称となり得る。
【００５８】
支持面３５０は入光面３１０の下辺と対向面３２０の下辺を連結する。また、支持面３５０は入光面３１０の下辺及び対向面３２０の下辺だけではなく、第１側面３３０の下辺及び第２側面３４０の下辺を連結し得る。支持面３５０は導光板３００の下面であり得る。このような支持面３５０は導光板３００及び導光板３００上部の他の構成要素を支持する。
【００５９】
出光面３６０は入光面３１０の上辺と対向面３２０の上辺を連結する。また、出光面３６０は入光面３１０の上辺及び対向面３２０の上辺だけではなく、第１側面３３０の上辺及び第２側面３４０の上辺を連結する。出光面３６０は導光板３００の上面であり得る。光源部２００で導光板３００に照射された光は導光板３００の出光面３６０を介して出射され、表示パネル１００に伝達され得る。
【００６０】
再び図１を参照すると、反射部材４００は光源部２００が位置しない導光板３００の側面上に配置される。すなわち、反射部材４００は導光板３００の入光面３１０を除いた導光板３００の対向面３２０、第１側面３３０、及び第２側面３４０上に配置される。反射部材４００は光源部２００から出射され、導光板３００の内部に入射された光が導光板３００の側面を介して外部に漏れるのを防止できる。すなわち、反射部材４００は導光板３００の内部から外部に向かう光の方向を再び導光板３００の内部に変更させることができる。このような反射部材４００に係る詳細な説明は後述する。
【００６１】
波長変換部材５００は導光板３００の出光面３６０上に位置する。詳細には、波長変換部材５００は導光板３００と光学シート６００との間に介在する。波長変換部材５００は出光面３６０から出射される光の波長を変換することができる。例示的な実施形態で、波長変換部材５００は出光面３６０から出射される青色の光を白色の光に変換できるが、これに限定されない。
【００６２】
波長変換部材５００はシート形状を有し得る。例示的な実施形態で、波長変換部材５００の面積は導光板３００の出光面３６０の面積と実質的に同じである。他の例示的な実施形態で、波長変換部材５００の面積は光学シート６００の面積と実質的に同じである。
【００６３】
以下、図２を参照して波長変換部材５００についてさらに詳細に説明する。図２は、図１に示す表示装置の波長変換部材５００の断面図である。図２を参照すると、波長変換部材５００は波長変換層５１０、第１バリアー層５２０、及び第２バリアー層５３０を含み得る。
【００６４】
波長変換層５１０は、蛍光体、量子ドット、またはこれらの組合せを含み得る。
【００６５】
蛍光体は一般的な有機蛍光体または無機蛍光体であり得る。例示的な実施形態で、蛍光体は黄色蛍光体であり得る。このような黄色蛍光体は、ＹＡＧ系蛍光物質、シリケート系蛍光物質、酸窒化物蛍光物質、またはこれらの組合せであり得るが、これに限定されない。
【００６６】
量子ドットはコアシェル（Ｃｏｒｅ−Ｓｈｅｌｌ）構造の半導体ナノ粒子であって、サイズは数ｎｍないし数十ｎｍを有し、量子閉じ込め効果（Ｑｕａｎｔｕｍ  ｃｏｎｆｉｎｅｍｅｎｔ  ｅｆｆｅｃｔ）によって粒子のサイズに応じて発光の光が違うように出射される特性を有することを意味する。より詳細には、量子ドットは狭い波長帯で強い光を発生し、量子ドットが発散する光は、伝導帯（Ｃｏｎｄｕｃｔｉｏｎ  ｂａｎｄ）で価電子帯（ｖａｌｅｎｃｅ  ｂａｎｄ）に不安定な（励起）状態の電子が降りる際に発生する。この際、量子ドットはその粒子が小さいほど短い波長の光が発生し、粒子が大きいほど長い波長の光を発生する性質がある。したがって、量子ドットのサイズを調節すると、所望する波長の可視光線領域の光をすべて出すことができる。
【００６７】
量子ドットはＳｉ系ナノ結晶、ＩＩ−ＶＩ族系化合物半導体ナノ結晶、ＩＩＩ−Ｖ族系化合物半導体ナノ結晶、ＩＶ−ＶＩ族系化合物半導体ナノ結晶及びこれらの混合物のうち何れか一つのナノ結晶を含み得る。
【００６８】
前記ＩＩ−ＶＩ族系化合物半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ及びＨｇＺｎＳＴｅで構成された群から選択された何れか一つであり得る。
【００６９】
また、前記ＩＩＩ−Ｖ族系化合物半導体ナノ結晶は、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、及びＩｎＡｌＰＡｓで構成された群から選択された何れか一つであり得、前記ＩＶ−ＶＩ族系化合物半導体ナノ結晶はＳｂＴｅであり得る。
【００７０】
波長変換層５１０は、蛍光体及び量子ドットと同じ波長変換物質の他に波長変換物質を分散させる分散媒質をさらに含み得る。すなわち、前記蛍光体または量子ドットは有機溶媒または高分子樹脂のような分散媒質に自然に配位された形態で分散される。このような分散媒質としては蛍光体または量子ドットの波長変換性能に影響を及ぼさないつつ光によって光を反射させず、光吸収を起こさないようにする範囲で透明な媒質であれば如何なるものでも使用できる。
【００７１】
前記有機溶媒は、例えば、トルエン（ｔｏｌｕｅｎｅ）、クロロホルム（ｃｈｌｏｒｏｆｏｒｍ）及びエタノール（ｅｔｈａｎｏｌ）のうち少なくとも一つを含み得、高分子樹脂は、例えば、エポキシ（ｅｐｏｘｙ）、シリコン（ｓｉｌｉｃｏｎｅ）、ポリスチレン（ｐｏｌｙｓｔｙｒｅｎｅ）及びアクリレート（ａｃｒｙｌａｔｅ）のうち少なくとも一つを含み得る。
【００７２】
また、波長変換層５１０は、前記分散媒質の他にＵＶ開始剤、熱硬化添加剤、橋かけ剤、拡散剤、及びこれらの組合せをさらに含み得る。このように、波長変換層５１０は波長変換物質と前記添加剤が混合した状態で第１基板１１０上に位置し得る。
【００７３】
第１バリアー層５２０は波長変換層５１０の上面及び下面上に位置する。例示的な実施形態で、第１バリアー層５２０は波長変換層５１０を囲む。すなわち、第１バリアー層５２０は波長変換層５１０を外部の水分及び酸素などから保護する。
【００７４】
第１バリアー層５２０は水分及び酸素を遮断できる物質からなる。例示的な実施形態で、第１バリアー層５２０は、絶縁性物質、例えば、酸化ケイ素（ＳｉＯｘ）、窒化ケイ素（ＳｉＮｘ）、またはこれらの組合せを含み得る。他の例示的な実施形態で、第１バリアー層５２０は、ポリエチレンテレフタレート（Ｐｏｌｙｅｔｈｙｌｅｎｅ  ｐｈｔｈａｌａｔｅ、ＰＥＴ）及びポリカーボネート（Ｐｏｌｙｃａｒｂｏｎａｔｅ、ＰＣ）のようなプラスチックフィルムであり得る。また他の例示的な実施形態で、第１バリアー層５２０はガラス材質からなる。
【００７５】
第２バリアー層５３０は、波長変換層５１０の上面上に位置する第１バリアー層５２０の上面及び波長変換層５１０の下面上に位置する第１バリアー層５２０の下面上に位置する。例示的な実施形態で、第２バリアー層５３０は波長変換層５１０及び第１バリアー層５２０を囲む。すなわち、第２バリアー層５３０は波長変換層５１０及び第１バリアー層５２０を外部の水分及び酸素などから保護する。
【００７６】
第２バリアー層５３０は、水分及び酸素を遮断できる物質からなる。例示的な実施形態で、第２バリアー層５３０は絶縁性物質、例えば、酸化ケイ素（ＳｉＯｘ）、窒化ケイ素（ＳｉＮｘ）、またはこれらの組合せを含み得る。他の例示的な実施形態で、第２バリアー層５３０は、ポリエチレンテレフタレート（Ｐｏｌｙｅｔｈｙｌｅｎｅ  ｐｈｔｈａｌａｔｅ、ＰＥＴ）及びポリカーボネート（Ｐｏｌｙｃａｒｂｏｎａｔｅ、ＰＣ）のようなプラスチックフィルムであり得る。また他の例示的な実施形態で、第２バリアー層５３０はガラス材質からなる。また他の例示的な実施形態で、第２バリアー層５３０は第１バリアー層５２０と実質的に同じ物質からなる。
波長変換層５１０が水分及び酸素が浸透しない物質で形成されている場合には、第１バリアー層５２０及び第２バリアー層５３０は省略し得る。また、第１バリアー層５２０及び第２バリアー層５３０の両方が設けられている必要はなく、例えば、第１バリアー層５２０のみであってもよい。ただし、複数のバリアー層を設けることで、波長変換層５１０への水分及び酸素の浸透をより抑制できる。
【００７７】
再び図１を参照すると、光学シート６００は波長変換部材５００の上部に配置される。光学シート６００は導光板３００の出光面３６０から出射された後、波長変換部材５００によって波長変換された光の光学的特性を変調し得る。光学シート６００は複数であり得、複数の光学シート６００は互いに重畳するように積層されて互いを補完する。例示的な実施形態で、複数の光学シート６００は少なくとも一つのプリズムシートまたは拡散シートを含み得る。
【００７８】
反射板７００は導光板３００の下側に配置される。反射板７００は光源部２００から出射され、導光板３００の下側に進む光の経路を変更させる。このような反射板７００は反射性物質、例えば、金属からなる。
【００７９】
モールドフレーム８００は表示パネル１００と光学シート６００との間に配置される。モールドフレーム８００はボトムシャーシ９００ｂとかみ合うことによって、光源部２００、導光板３００、反射部材４００、波長変換部材５００、光学シート６００、及び反射板７００を固定させる。また、モールドフレーム８００は表示パネル１００の外周の部分と接触して表示パネル１００を支持し、かつ固定させることもできる。
【００８０】
トップシャーシ９００ａは表示パネル１００の外周を覆い、表示パネル１００及びバックライトアセンブリの側面を囲む。ボトムシャーシ９００ｂはバックライトアセンブリを収納する。トップシャーシ９００ａ及びボトムシャーシ９００ｂは互いにかみ合い、表示パネル１００及びバックライトアセンブリを囲む。このようなトップシャーシ９００ａ及びボトムシャーシ９００ｂは導電性を有する物質、例えば金属からなる。
【００８１】
以下、図３〜図５を参照して反射部材４００についてさらに詳細に説明する。図３は、図１に示す表示装置のバックライトアセンブリの分解斜視図である。図４は、図３に示すバックライトアセンブリの第１反射部材４１０の正面図である。図５は、図４のＶ−Ｖ’線に沿って切断した断面図である。図４及び図５に第１反射部材４１０のみを詳細に示したが、後述するように第２反射部材４２０及び第３反射部材４３０の形状は第１反射部材４１０の形状と実質的に同じであるため、これに係る図面は省略する。
【００８２】
図３ないし図５を参照すると、反射部材４００は、第１反射部材４１０、第２反射部材４２０、及び第３反射部材４３０を含み得る。
【００８３】
第１反射部材４１０は導光板３００の対向面３２０上に位置する。第１反射部材４１０は導光板３００の対向面３２０と対向するように配置される。また、第１反射部材４１０は導光板３００の対向面３２０と概ね平行となるように配置される。また、第１反射部材４１０の形状は導光板３００の対向面３２０の形状に対応する。例えば、対向面３２０と対向する第１反射部材４１０の面積は対向面３２０の面積と実質的に同じであり得る。また、第１反射部材４１０が延長された長さは対向面３２０が延長された長さと実質的に同じであり得る。例示的な実施形態で、第１反射部材４１０と対向面３２０は完全に重畳する場合もある。
【００８４】
第１反射部材４１０は、第１反射層４１０ａ、第１接着層４１０ｂ、及び第１カラーパターン４１０ｃを含み得る。
【００８５】
第１反射層４１０ａは反射性物質を含み得る。例示的な実施形態で、第１反射層４１０ａは金属物質を含み得る。他の例示的な実施形態で、第１反射層４１０ａは反射性物質でコーティングされた高分子層であり得る。第１反射層４１０ａは拡散反射または鏡面反射の特性を有する。また、導光板３００の対向面３２０と対向する第１反射層４１０ａの一面は白色であり得る。
【００８６】
第１反射層４１０ａは剛性物質からなるが、これに限定されない。第１反射層４１０ａはフレキシブル物質からなる場合もできる。例示的な実施形態で、導光板３００が剛性物質からなると、第１反射層４１０ａも剛性物質からなり、導光板３００がフレキシブル物質からなると、第１反射層４１０ａもフレキシブル物質からなる。
【００８７】
第１接着層４１０ｂは第１反射層４１０ａ上に位置する。詳細には、第１接着層４１０ｂは導光板３００の対向面３２０と対向する第１反射層４１０ａの一面上に位置する。第１接着層４１０ｂは第１反射層４１０ａと完全に重複する。
【００８８】
第１接着層４１０ｂは、熱硬化接着剤、触媒添加接着剤、湿気硬化接着剤、嫌気性接着剤、ホットメルト（Ｈｏｔ  ｍｅｌｔ）接着剤、再湿接着剤、光学透明接着剤、及び減圧接着剤のうち少なくとも何れか一つからなる。例示的な実施形態で、第１接着層４１０ｂは光学透明接着剤（Ｏｐｔｉｃａｌｌｙ  Ｃｌｅａｒ  Ａｄｈｅｓｉｖｅ、ＯＣＡ）からなる。ここで、光学透明接着剤は透明であり得、半固体状であり得る。一般的には、半固体状の物質はその形状の固定が容易であるため、半固体状の光学透明接着剤は液体状の樹脂（ｒｅｓｉｎ）より取り扱いが容易である。他の例示的な実施形態で、第１接着層４１０ｂはこれと直接に接触する対象との脱付着が容易であるようにその接着力が調節されている場合もある。
【００８９】
第１接着層４１０ｂは導光板３００の対向面３２０と直接に接触する。すなわち、第１接着層４１０ｂは導光板３００の対向面３２０に付着し、導光板３００と第１反射部材４１０を固定させる。第１接着層４１０ｂの屈折率及び導光板３００の屈折率は実質的に同じであり得るため、光源部２００から導光板３００内部に伝達された光は第１接着層４１０ｂと導光板３００の界面でほぼ屈折されない。
【００９０】
第１カラーパターン４１０ｃは第１反射層４１０ａと第１接着層４１０ｂとの間に介在する。詳細には、第１カラーパターン４１０ｃは第１反射層４１０ａと第１接着層４１０ｂにより完全に囲まれる。例示的な実施形態で、第１反射層４１０ａ上に第１カラーパターン４１０ｃを形成した後、第１カラーパターン４１０ｃを第１接着層４１０ｂで完全に覆うことによって、第１反射部材４１０を形成する。ここで、第１カラーパターン４１０ｃの厚さより第１接着層４１０ｂの厚さが厚いため、第１カラーパターン４１０ｃは第１接着層４１０ｂによって完全に覆われる。すなわち、第１カラーパターン４１０ｃは第１反射層４１０ａと第１接着層４１０ｂによってかたく固定され得る。
【００９１】
第１カラーパターン４１０ｃは導光板３００の対向面３２０と対向する第１反射層４１０ａの一面上に形成される。すなわち、光源部２００から照射された光は導光板３００及び第１接着層４１０ｂを通過して第１カラーパターン４１０ｃに入射される。
【００９２】
第１カラーパターン４１０ｃは例えばストライプ形状を有する。例示的な実施形態で、第１カラーパターン４１０ｃが延長された方向は導光板３００の対向面３２０が延長された方向と同じであり得る。すなわち、第１カラーパターン４１０ｃの長辺は導光板３００の対向面３２０の上辺または下辺と概ね平行であり得る。また、第１カラーパターン４１０ｃの長辺の長さは導光板３００の対向面３２０の上面または下面の長さと同じであり得る。しかし、これに限定されない。第１カラーパターン４１０ｃは多様な形状を有することができる。
【００９３】
第１カラーパターン４１０ｃは複数であり得る。複数の第１カラーパターン４１０ｃは互いに一定の間隔離隔して配置される。また、複数の第１カラーパターン４１０ｃは一列に配列され得る。複数の第１カラーパターン４１０ｃは互いに概ね平行となるように配置される。また、複数の第１カラーパターン４１０ｃのそれぞれの幅はすべて概ね同じであり得る。また、複数の第１カラーパターン４１０ｃは第１反射層４１０ａの一面の中心点を基準に概ね点対称となるように配置される。例えば、図３に示すように、第１カラーパターン４１０ｃは、破線で示すように第１カラーパターン４１０ｃの長辺方向が対向面３２０の上辺または下辺と概ね平行であり、帯状に形成されている。なお、複数離隔して配置される第１カラーパターン４１０ｃの数は特に限定されない。
【００９４】
複数の第１カラーパターン４１０ｃの色は光源部２００から放出される光の色と実質的に補色関係である。例示的な実施形態で、光源部２００から放出される光が青色の場合、第１カラーパターン４１０ｃの色は黄色であり得る。
【００９５】
複数の第１カラーパターン４１０ｃは蛍光物質を含み得る。例示的な実施形態で、複数の第１カラーパターン４１０ｃはガーネット（Ｇａｒｎｅｔ）系の黄色蛍光物質を含み得るが、これに限定されない。ガーネット系の黄色蛍光物質はその粒子の形状が球形に近いため、ガーネット系の黄色蛍光物質を利用する場合、複数の第１カラーパターン４１０ｃの形成工程にコーティング工程を適用することが容易である。
【００９６】
複数の第１カラーパターン４１０ｃに含まれる蛍光物質の粒子直径は概ね３０μｍ以下であり得る。好ましくは、複数の第１カラーパターン４１０ｃに含まれる蛍光物質の粒子直径は概ね１０μｍ以下であり得る。
【００９７】
複数の第１カラーパターン４１０ｃは蛍光物質を５ｗｔ％ないし４０ｗｔ％を含み得る。好ましくは、複数の第１カラーパターン４１０ｃは蛍光物質を１０ｗｔ％ないし２０ｗｔ％を含み得る。
【００９８】
複数の第１カラーパターン４１０ｃに入射された光は複数の第１カラーパターン４１０ｃの表面で反射し、導光板３００方向に伝達される。また、複数の第１カラーパターン４１０ｃに入射された光は複数の第１カラーパターン４１０ｃの内部を通過して第１反射層４１０ａの一面に入射され、第１反射層４１０ａの一面で反射して再び導光板３００方向に伝達される。
【００９９】
複数の第１カラーパターン４１０ｃの厚さは２μｍないし２０μｍであり得る。詳細には、複数の第１カラーパターン４１０ｃの厚さは５μｍあり得るが、これに限定されない。ここで、複数の第１カラーパターン４１０ｃの厚さは第１反射層４１０ａの一面から突出した複数の第１カラーパターン４１０ｃの長さであり得る。
【０１００】
第２反射部材４２０は導光板３００の第１側面３３０上に配置される。第２反射部材４２０は導光板３００の第１側面３３０と対向するように配置される。また、第２反射部材４２０は導光板３００の第１側面３３０と概ね平行となるように配置される。また、第２反射部材４２０の形状は導光板３００の第１側面３３０の形状に対応する。例示的な実施形態で、第２反射部材４２０と第１側面３３０は完全に重畳する。
【０１０１】
第２反射部材４２０は、第２反射層４２０ａ、第２接着層４２０ｂ、及び第２カラーパターン４２０ｃを含み得る。
【０１０２】
第２反射層４２０ａは反射性物質を含み得る。また、第２反射層４２０ａは剛性物質からなるが、これに限定されない。第２反射層４２０ａはフレキシブル物質からなる場合もある。また、導光板３００の第１側面３３０と対向する第２反射層４２０ａの一面は白色であり得る。また、第２反射層４２０ａは第１反射層４１０ａと同じ物質からなる。
【０１０３】
第２接着層４２０ｂは第２反射層４２０ａ上に位置する。詳細には、第２接着層４２０ｂは導光板３００の第１側面３３０と対向する第２反射層４２０ａの一面上に位置する。第２接着層４２０ｂは第２反射層４２０ａと完全に重複する。
第２接着層４２０ｂは、熱硬化接着剤、触媒添加接着剤、湿気硬化接着剤、嫌気性接着剤、ホットメルト接着剤、再湿接着剤、光学透明接着剤、及び減圧接着剤のうち少なくとも何れか一つからなる。また、第２接着層４２０ｂは第１接着層４１０ｂと同じ物質からなる。
【０１０４】
第２接着層４２０ｂは導光板３００の第１側面３３０と直接接触する。すなわち、第２接着層４２０ｂは導光板３００の第１側面３３０に付着して導光板３００と第２反射部材４２０を固定させる。
【０１０５】
第２カラーパターン４２０ｃは第２反射層４２０ａと第２接着層４２０ｂとの間に介在する。詳細には、第２カラーパターン４２０ｃは第２反射層４２０ａと第２接着層４２０ｂによって完全に囲まれる。
【０１０６】
第２カラーパターン４２０ｃは導光板３００の第１側面３３０と対向する第２反射層４２０ａの一面上に形成される。すなわち、光源部２００から照射された光は導光板３００及び第２接着層４２０ｂを通過して第２カラーパターン４２０ｃに入射される。
【０１０７】
第２カラーパターン４２０ｃは例えばストライプ形状を有するが、これに限定されない。第２カラーパターン４２０ｃは多様な形状を有し得る。また、第２カラーパターン４２０ｃは第１カラーパターン４１０ｃと実質的に同じ形状を有し得る。
【０１０８】
第２カラーパターン４２０ｃは複数であり得る。複数の第２カラーパターン４２０ｃは互いに一定の間隔離隔して配置される。また、複数の第２カラーパターン４２０ｃは一列に配列される。複数の第２カラーパターン４２０ｃは互いに概ね平行となるように配置される。また、複数の第２カラーパターン４２０ｃのそれぞれの幅はすべて概ね同じであり得る。また、複数の第２カラーパターン４２０ｃは第２反射層４２０ａの一面の中心点を基準に概ね点対称となるように配置される。例えば、図３に示すように、第２カラーパターン４２０ｃは、破線で示すように第２カラーパターン４２０ｃの長辺方向が第１側面３３０の上辺または下辺と概ね平行であり、帯状に形成されている。なお、複数離隔して配置される第２カラーパターン４２０ｃの数は特に限定されない。
【０１０９】
複数の第２カラーパターン４２０ｃの色は光源部２００から放出される光の色と実質的に補色関係である。例示的な実施形態で、光源部２００から放出される光が青色の場合、第２カラーパターン４２０ｃの色は黄色であり得る。
【０１１０】
複数の第２カラーパターン４２０ｃは蛍光物質を含み得る。例示的な実施形態で、複数の第２カラーパターン４２０ｃはガーネット（Ｇａｒｎｅｔ）系の黄色蛍光物質を含み得るが、これに限定されない。他の例示的な実施形態で、複数の第２カラーパターン４２０ｃは第１カラーパターン４１０ｃと同じ物質からなる。
【０１１１】
複数の第２カラーパターン４２０ｃに入射された光は複数の第２カラーパターン４２０ｃの表面で反射して導光板３００方向に伝達される。また、複数の第２カラーパターン４２０ｃに入射された光は複数の第２カラーパターン４２０ｃの内部を通過して第２反射層４２０ａの一面に入射され、第２反射層４２０ａの一面で反射して再び導光板３００方向に伝達される。
【０１１２】
第３反射部材４３０は導光板３００の第２側面３４０上に配置される。第３反射部材４３０は導光板３００の第２側面３４０と対向するように配置される。また、第３反射部材４３０は導光板３００の第２側面３４０と平行となるように配置される。また、第３反射部材４３０の形状は導光板３００の第２側面３４０の形状に対応する。例示的な実施形態で、第３反射部材４３０と第２側面３４０は完全に重畳する。
【０１１３】
第３反射部材４３０は、第３反射層４３０ａ、第３接着層４３０ｂ、及び第３カラーパターン４３０ｃを含み得る。
【０１１４】
第３反射層４３０ａは反射性物質を含み得る。また、第３反射層４３０ａは剛性物質からなるが、これに限定されない。第３反射層４３０ａはフレキシブル物質からなる場合もできる。また、導光板３００の第２側面３４０と対向する第３反射層４３０ａの一面は白色であり得る。また、第３反射層４３０ａは第１反射層４１０ａと同じ物質からなる。
【０１１５】
第３接着層４３０ｂは第３反射層４３０ａ上に位置する。詳細には、第３接着層４３０ｂは導光板３００の第２側面３４０と対向する第３反射層４３０ａの一面上に位置する。第３接着層４３０ｂは第３反射層４３０ａと完全に重複する。第３接着層４３０ｂは、熱硬化接着剤、触媒添加接着剤、湿気硬化接着剤、嫌気性接着剤、ホットメルト接着剤、再湿接着剤、光学透明接着剤、及び減圧接着剤のうち少なくとも何れか一つからなる。また、第３接着層４３０ｂは第１接着層４１０ｂと同じ物質からなる。
【０１１６】
第３接着層４３０ｂは導光板３００の第２側面３４０と直接的に接触する。すなわち、第３接着層４３０ｂは導光板３００の第２側面３４０に付着して導光板３００と第３反射部材４３０を固定させる。
【０１１７】
第３カラーパターン４３０ｃは第３反射層４３０ａと第３接着層４３０ｂとの間に介在する。詳細には、第３カラーパターン４３０ｃは第３反射層４３０ａ及び第３接着層４３０ｂにより完全に囲まれる。
第３カラーパターン４３０ｃは導光板３００の第２側面３４０と対向する第３反射層４３０ａの一面上に形成される。すなわち、光源部２００から照射された光は導光板３００及び第３接着層４３０ｂを通過して第３カラーパターン４３０ｃに入射される。
【０１１８】
第３カラーパターン４３０ｃは例えばストライプ形状を有するが、これに限定されない。第３カラーパターン４３０ｃは多様な形状を有し得る。また、第３カラーパターン４３０ｃは第１カラーパターン４１０ｃと実質的に同じ形状を有し得る。
【０１１９】
第３カラーパターン４３０ｃは複数であり得る。複数の第３カラーパターン４３０ｃは互いに一定の間隔離隔して配置される。また、複数の第３カラーパターン４３０ｃは一列に配列される。複数の第３カラーパターン４３０ｃは互いに概ね平行となるように配置される。また、複数の第３カラーパターン４３０ｃのそれぞれの幅はすべて概ね同じであり得る。また、複数の第３カラーパターン４３０ｃは第３反射層４３０ａの一面の中心点を基準に概ね点対称となるように配置される。例えば、図３に示すように、第３カラーパターン４３０ｃは、破線で示すように第３カラーパターン４３０ｃの長辺方向が第２側面３４０の上辺または下辺と概ね平行であり、帯状に形成されている。なお、複数離隔して配置される第３カラーパターン４３０ｃの数は特に限定されない。
【０１２０】
複数の第３カラーパターン４３０ｃの色は光源部２００から放出される光の色と実質的に補色関係であり得る。例示的な実施形態で、光源部２００から放出される光が青色の場合、第３カラーパターン４３０ｃの色は黄色であり得る。
【０１２１】
複数の第３カラーパターン４３０ｃは蛍光物質を含み得る。例示的な実施形態で、複数の第３カラーパターン４３０ｃはガーネット（Ｇａｒｎｅｔ）系の黄色蛍光物質を含み得るが、これに限定されない。他の例示的な実施形態で、複数の第３カラーパターン４３０ｃは第１カラーパターン４１０ｃと同じ物質からなる。
【０１２２】
複数の第３カラーパターン４３０ｃに入射された光は複数の第３カラーパターン４３０ｃの表面で反射して導光板３００方向に伝達される。また、複数の第３カラーパターン４３０ｃに入射された光は複数の第３カラーパターン４３０ｃの内部を通過して第３反射層４３０ａの一面に入射され、第３反射層４３０ａの一面で反射して再び導光板３００方向に伝達される。
【０１２３】
第２反射部材４２０及び第３反射部材４３０は導光板３００を基準に概ね対称となるように配置される。また、第２反射部材４２０及び第３反射部材４３０は互いに概ね平行となるように並列配置される。また、第２反射部材４２０の第２接着層４２０ｂ及び第３反射部材４３０の第３接着層４３０ｂは互いに対向する。
【０１２４】
図面に示す例示的な実施形態で、第１反射部材４１０、第２反射部材４２０、及び第３反射部材４３０は互いに分離しているが、これに限定されない。一体型にすることもできる。
【０１２５】
光源部２００、第１反射部材４１０、第２反射部材４２０、及び第３反射部材４３０は導光板３００の側面を囲むことによって、導光板３００内に照射された光が導光板３００の側面を介して外部に漏れることを止できる。
なお、本実施形態では、第１〜第３反射部材４１０〜４３０が全て設けられているが、この構成に限定されない。例えば、少なくとも光源部２００に対向する第１反射部材４１０が設けられていればよい。その他、第１反射部材４１０及び第２反射部材４２０が設けられている構成、第１反射部材４１０及び第３反射部材４３０が設けられている構成であってもよい。ただし、第１〜第３反射部材４１０〜４３０が全て設けられている構成とすることで、導光板３００内に照射された光が導光板３００の側面から外部に漏れ出るのを最小化することができる。
【０１２６】
以下、図６及び図７を参照して導光板３００の側面部で青色光が漏れることを防止するメカニズムについて調べる。図６は、図３に示すバックライトアセンブリの平面図である。図７は、図６に示すVIIーVII’線に沿って切断した断面図である。説明の便宜上、光源部２００では青色の光が放出され、第１カラーパターン４１０ｃは黄色の蛍光物質からなると仮定する。
【０１２７】
図６及び図７を参照すると、光源部２００から放出された青色の光は導光板３００の内部に入射され、導光板３００の内部に入射された光の一部は導光板３００の対向面３２０まで到達する。導光板３００の対向面３２０に到達した光の一部は第１カラーパターン４１０ｃに入射され、第１カラーパターン４１０ｃの黄色の蛍光物質は第１カラーパターン４１０ｃに入射された青色の光を白色の光に変換する。これによって、導光板３００の対向面３２０の上部及び下部では青色の光ではない白色の光が出る。すなわち、本発明の一実施形態によるバックライトアセンブリは導光板３００の側面部で発生し得る青色光の漏出を防止できる。
【０１２８】
また、導光板３００の上面上の波長変換部材５００が量子ドットを含む場合、表示パネル１００に高純度の白色光を提供する。すなわち、量子ドットは蛍光体に比べてこれを通過する光の色純度を大きく増加させることができるため、表示パネル１００で表示される画像の鮮明度を大きく増加させることができる。
【０１２９】
以下、本発明の他の実施形態による第１反射部材（４１１ないし４１８）について説明する。以下では第１反射部材（４１１ないし４１８）ついてのみ詳細に説明するが、第２反射部材及び第３反射部材は第１反射部材（４１１ないし４１８）と実質的に同じであるため、これに対する詳細な説明は省略する。
【０１３０】
図８は、本発明の他の実施形態によるバックライトアセンブリの第１反射部材４１１の正面図である。説明の便宜上、前述した図面に示した各エレメントと実質的に同じエレメントは同一符号で示し、重複する説明は省略する。
【０１３１】
図８を参照すると、第１反射部材４１１は複数の第１カラーパターン４１１ｃを含み得、複数の第１カラーパターン４１１ｃのそれぞれはドット（ｄｏｔ）形状を有し得る。このような複数の第１カラーパターン４１１ｃはマトリックス形態に配列される。例示的な実施形態で、行方向に配列された複数の第１カラーパターン４１１ｃは互いに接し得、列方向に配列された複数の第１カラーパターン４１１ｃは互いに離隔し得る。つまり、ドット形状のパターンが行方向（図８中の水平方向）に連結されることで一行の第１カラーパターン４１１ｃが形成されており、このような形態で複数行の第１カラーパターン４１１ｃが列方向（図８中の垂直方向）において離隔して形成されることで第１反射部材４１１が形成されている。このように、複数の第１カラーパターン４１１ｃの形状が変わることによって、複数の第１カラーパターン４１１ｃを覆う第１接着層４１１ｂの形状も複数の第１カラーパターン４１１ｃに対応するように変わる。なお、第１カラーパターン４１１ｃのドットの大きさは、第１カラーパターン４１１ｃを形成する行数、第１カラーパターン４１１ｃ同士の離隔間隔等によって変わり得る。例えば、第１カラーパターン４１１ｃのドットの大きさは、第１反射層４１０ａの列方向（図８中の垂直方向）の幅の長さから、全ての第１カラーパターン４１１ｃの列方向の離隔間隔を引いた長さ（あるいは、第１カラーパターン４１１ｃが形成されない列方向の全長さ）を引いて、第１カラーパターン４１１ｃを形成する行数で割った長さ程度に形成し得る。
第１カラーパターン４１１ｃをドットで形成することで、例えば前述の量子ドットを用いて第１カラーパターン４１１ｃを形成することができる。
【０１３２】
図９は、本発明のまた他の実施形態によるバックライトアセンブリの第１反射部材４１２の正面図である。説明の便宜上、前述した図面に示した各エレメントと実質的に同じエレメントは同一符号で示し、重複する説明は省略する。
【０１３３】
図９を参照すると、複数の第１カラーパターン４１２ｃは導光板３００の出光面３６０と接する対向面３２０の一辺及び前記一辺と対向する対向面３２０の他辺と隣接する領域上にのみ位置する。すなわち、複数の第１カラーパターン４１２ｃは対向面３２０の上辺及び下面に隣接する領域上にのみ位置する。言い換えると、複数の第１カラーパターン４１２ｃは導光板３００の出光面３６０及び導光板３００の支持面３５０に隣接する領域上にのみ位置する。このように、複数の第１カラーパターン４１２ｃの形状が変わることによって、複数の第１カラーパターン４１２ｃを覆う第１接着層４１２ｂの形状も複数の第１カラーパターン４１２ｃに対応するように変わる。
【０１３４】
このような第１反射部材４１２を利用すると、導光板３００の側面部で発生し得る青色光の漏出を防止すると共に、青色光が過度に波長変換され、黄色光に変換されることを防止できる。これについては図１０を参照して詳細に説明する。図１０は、図９の第１反射部材４１２を適用したバックライトアセンブリの断面図である。説明の便宜上、光源部２００では青色の光が放出され、第１カラーパターン４１２ｃは黄色の蛍光物質からなると仮定する。
【０１３５】
図１０を参照すると、光源部２００から放出され、導光板３００の対向面３２０まで到達した青色の光の一部が、導光板３００の出光面３６０及び導光板３００の支持面３５０に隣接する領域上に位置する第１カラーパターン４１２ｃに入射され、波長変換された後、外部に放出される。このように、青色光が漏出される領域にのみ選択的に第１カラーパターン４１２ｃを位置させると、第１カラーパターン４１２ｃを対向面３２０に対応して全面に形成する場合に比べて、最小限の費用で青色光の漏出を防止できる。
【０１３６】
一方、光源部２００から放出され、導光板３００の対向面３２０まで到達した青色の光の他の一部は第１カラーパターン４１２ｃが形成されていない第１反射層４１０ａの一面の中心部で反射した後、波長変換部材５００に入射される。波長変換部材５００に入射した青色の光は白色の光に変換された後、外部に放出される。仮に、第１反射層４１０ａの一面の中心部に第１カラーパターン４１２ｃが位置すると、対向面３２０に到達した青色の光は第１カラーパターン４１２ｃによって波長変換された後、波長変換部材５００によって再び波長変換される。このように青色の光が過度に波長変換されると、波長変換部材５００から白色の光ではない黄色の光が放出される。このような現象が発生することを防止するため、第１反射層４１０ａの一面の中心部上には第１カラーパターン４１２ｃを形成しない場合もある。
導光板３００の出光面３６０及び導光板３００の支持面３５０それぞれに隣接する領域上の第１カラーパターン４１２ｃのそれぞれの幅（図９、図１０中の垂直方向の幅）は、青色光の漏出の程度及び／又は第１カラーパターン４１２ｃと波長変換部材５００とによって波長変換されて放出される黄色の光の程度等によって、設定され得る。例えば、導光板３００の側面部から漏れる青色光の量が多い場合には、第１カラーパターン４１２ｃのそれぞれの幅を大きくする。逆に、第１カラーパターン４１２ｃと波長変換部材５００とによって波長変換されて放出される黄色の光の量が多い場合には、幅方向の中央部からできるだけ離隔して第１カラーパターン４１２ｃを形成し、それぞれの幅を小さくする。
【０１３７】
図１１〜図１３は、本発明のまた他の実施形態による第１反射部材（４１３ないし４１５）の正面図である。説明の便宜上、前述した図面に示した各エレメントと実質的に同じエレメントは同一符号で示し、重複する説明を省略する。
【０１３８】
図１１〜図１３を参照すると、複数の第１カラーパターン（４１３ｃないし４１５ｃ）のそれぞれはドット状（図１１）、半円状（図１２）、または三角形状（図１３）を有し得る。このような複数の第１カラーパターン（４１３ｃないし４１５ｃ）は第１反射層４１０ａの一面の上辺及び下面と隣接するように一列に配置される。このように、複数の第１カラーパターン（４１３ｃないし４１５ｃ）の形状が変わることによって、複数の第１カラーパターン（４１３ｃないし４１５ｃ）を覆う第１接着層（４１３ｂないし４１５ｂ）の形状も複数の第１カラーパターン（４１３ｃないし４１５ｃ）に対応するように変わる。
導光板３００の出光面３６０及び導光板３００の支持面３５０それぞれに隣接する領域上の第１カラーパターン４１３ｃないし４１５ｃそれぞれのドット状の幅（図１１の垂直方向の幅）、半円状の半径、三角形状の高さ（図１３の垂直方向の幅）等は、青色光の漏出の程度及び／又は第１カラーパターン４１３ｃないし４１５ｃと波長変換部材５００とによって波長変換されて放出される黄色の光の程度等によって設定され得る。例えば、導光板３００の側面部から漏れる青色光の量が多い場合には、第１カラーパターン４１３ｃないし４１５ｃのそれぞれの幅を大きくする。逆に、第１カラーパターン４１３ｃないし４１５ｃと波長変換部材５００とによって波長変換されて放出される黄色の光の量が多い場合には、幅方向の中央部からできるだけ離隔して第１カラーパターン４１２ｃを小さく形成する。
【０１３９】
図１４及び図１５は、本発明のまた他の実施形態による第１反射部材（４１６、４１７）の正面図である。説明の便宜上、前述した図面に示した各エレメントと実質的に同じエレメントは同一符号で示し、重複する説明を省略する。
【０１４０】
図１４及び図１５を参照すると、複数の第１カラーパターン（４１６ｃ、４１７ｃ）の面積は出光面３６０と接する対向面３２０の一辺と平行であり、対向面３２０を両分する仮想の線、すなわち、中心線ＣＬに行くほど減少する。このように、複数の第１カラーパターン（４１６ｃ、４１７ｃ）の形状が変わることによって、複数の第１カラーパターン（４１６ｃ、４１７ｃ）を覆う第１接着層（４１６ｂ、４１７ｂ）の形状も複数の第１カラーパターン（４１６ｃ、４１７ｃ）に対応するように変わる。
【０１４１】
図１４を参照すると、互いに隣接する複数の第１カラーパターン４１６ｃの離隔距離は同じであり、複数の第１カラーパターン４１６ｃのそれぞれの幅は中心線ＣＬに行くほど減少する。図１４では、第１カラーパターン４１６ｃは４本、つまり中心線ＣＬを中心として２本ずつ形成されているが、第１カラーパターン４１６ｃの数はこれに限定されない。導光板３００の出光面３６０及び導光板３００の支持面３５０それぞれに隣接する領域上において第１カラーパターン４１６ｃの幅を大きくすることで、幅の大きな第１カラーパターン４１６ｃによって、青色光を波長変換させて外部に放出して青色光の漏出を防止できる。また、第１カラーパターン４１６ｃを導光板３００に対向する面に対応して全面に形成する場合に比べて、費用を削減することができる。また、中心線ＣＬ付近では第１カラーパターン４１６ｃを部分的にのみ設けることで、第１カラーパターン４１６ｃと波長変換部材５００とによって波長変換されて放出される黄色の光も削減することができる。
図１５を参照すると、複数の第１カラーパターン４１７ｃのそれぞれの形状は三角形であり、このような三角形の一辺は第１反射層４１０ａの上辺または下辺と接する。第１カラーパターン４１７ｃにおいて、第１反射層４１０ａの上辺と接する三角形と、第１反射層４１０ａの下辺と接する三角形とは、図１５に示すように中心線CLを中心として例えば対称に形成されている。その他、第１カラーパターン４１７ｃは中心線CLに向かう頂点を有する三角形状に形成されていれば、中心線CLに対して対称でなくてもよい。例えば第１反射層４１０ａの上辺と接する三角形の頂点と、第１反射層４１０ａの下辺と接する三角形の頂点とがずれるように配置されていてもよい。
図１５のような三角形状の第１カラーパターン４１７ｃによれば、導光板３００の出光面３６０及び導光板３００の支持面３５０それぞれに隣接する領域上において第１カラーパターン４１７ｃの面積を大きくすることで、第１カラーパターン４１７ｃによって青色光を波長変換させて外部に放出して青色光の漏出を防止できる。また、第１カラーパターン４１７ｃを導光板３００に対向する面に対応して全面に形成する場合に比べて、費用を削減することができる。また、中心線ＣＬ付近では第１カラーパターン４１７ｃを部分的にのみ設けることで、第１カラーパターン４１７ｃと波長変換部材５００とによって波長変換されて放出される黄色の光も削減することができる。
【０１４２】
図１６は、本発明のまた他の実施形態による第１反射部材４１８の正面図である。図１７は、図１６のXVII−XVII’線に沿って切断した断面図である。説明の便宜上、前述した図面に示した各エレメントと実質的に同じエレメントは同一符号で示し、重複する説明を省略する。
【０１４３】
図１６及び図１７を参照すると、複数の第１カラーパターン４１８ｃの厚さ（第１反射層４１０ａから導光板３００に向かう側の厚さ）は中心線ＣＬに行くほど減少する。詳細には、複数の第１カラーパターン４１８ｃは複数の第１サブカラーパターン４１８ｃ−１及び複数の第２サブカラーパターン４１８ｃ−２を含み得る。複数の第１サブカラーパターン４１８ｃ−１は第１反射層４１０ａの一面上に位置し、複数の第２サブカラーパターン４１８ｃ−２は複数の第１サブカラーパターン４１８ｃ−１に隣接して位置する。複数の第１サブカラーパターン４１８ｃ−１及び第２サブカラーパターン４１８ｃ−２はすべて導光板３００の出光面３６０及び導光板３００の支持面３５０に隣接する領域上にのみ位置するが、複数の第１サブカラーパターン４１８ｃ−１の面積が複数の第２サブカラーパターン４１８ｃ−２の面積より大きい場合もある。また、複数の第２サブカラーパターン４１８ｃ−２は複数の第１サブカラーパターン４１８ｃ−１のエッジ上にのみ位置する。このような複数の第１カラーパターン４１８ｃは第１反射層４１０ａ上にコーティング工程を二回行うことによって形成される。例えば、１回目のコーティング工程によって、第１サブカラーパターン４１８ｃ−１が形成される。次に、２回目のコーティング工程によって、第１サブカラーパターン４１８ｃ−１上のうち導光板３００の出光面３６０及び導光板３００の支持面３５０それぞれに隣接する領域上に、第１サブカラーパターン４１８ｃ−１よりも面積の小さい第２サブカラーパターン４１８ｃ−２が形成される。導光板３００の出光面３６０及び導光板３００の支持面３５０それぞれに隣接する領域上において第１カラーパターン４１８ｃの厚さを厚く形成することで、青色光を波長変換させて外部に放出して青色光の漏出を防止できる。また、導光板３００に対向する面に対応して全面において第１カラーパターン４１８ｃの厚さを厚く形成する場合に比べて、費用を削減しつつ青色光の漏出を防止できる。また、中心線ＣＬ付近では第１カラーパターン４１８ｃの厚みを薄くすることで、中心線ＣＬ付近において第１カラーパターン４１８ｃの厚みを厚くする場合に比べて、波長変換部材５００から波長変換されて放出される黄色の光も削減することができる。
しかし、これに限定されなく、複数の第１カラーパターン４１８ｃの厚さが中心線ＣＬに行くほど徐々に減少する場合もある。このように、複数の第１カラーパターン４１８ｃの形状が変わることによって、複数の第１カラーパターン４１８ｃを覆う第１接着層４１８ｂの形状も複数の第１カラーパターン４１８ｃに対応するように変わる。
【０１４４】
図１８は、本発明のまた他の実施形態によるバックライトアセンブリの分解斜視図である。図１９は、図１８のバックライトアセンブリの第２反射部材４２１の正面図である。説明の便宜上、前述した図面に示す各エレメントと実質的に同じエレメントは同一符号で示し、重複する説明を省略する。
【０１４５】
図１８及び図１９を参照すると、複数の反射部材４０１で第１反射部材４１２は図９に示したものと同じである。したがって、これに係る詳細な説明は省略する。
【０１４６】
第２反射部材４２１の複数の第２カラーパターン４２１ｃの面積または厚さは光源部２００から遠くなるほど減少する。図面に示す例示的な実施形態で、複数の第２カラーパターン４２１ｃの面積は光源部２００から遠くなるほど減少する。このように、複数の第２カラーパターン４２１ｃの形状が変わることによって、複数の第２カラーパターン４２１ｃを覆う第２接着層４２１ｂの形状も複数の第２カラーパターン４２１ｃに対応するように変わる。
【０１４７】
第３反射部材４３１の複数の第３カラーパターン４３１ｃの面積または厚さも光源部２００から遠くなるほど減少する。このように、複数の第３カラーパターン４３１ｃの形状が変わることによって、複数の第３カラーパターン４３１ｃを覆う第３接着層４３１ｂの形状も複数の第３カラーパターン４３１ｃに対応するように変われる。
【０１４８】
第２反射部材４２１及び第３反射部材４３１で光源部２００と隣接する領域には強い強度の青色光が入射され、光源部２００と遠い領域には弱い強度の青色光が入射される。したがって、これに対応するように複数の第２カラーパターン４２１ｃ及び第３カラーパターン４３１ｃの形状を調節し、導光板３００の側面部で白色の光が放出されるようにすることができる。よって、光源部２００と隣接し、強い強度の青色光が入射される領域においては、広い面積を有する第２カラーパターン４２１ｃ及び第３カラーパターン４３１ｃによって青色光を波長変換させて外部に放出できるため、青色光の漏出を防止できる。青色光の入射の強度に応じて第２カラーパターン４２１ｃ及び第３カラーパターン４３１ｃの形状を調節することで、導光板３００に対向する面に対応して全面に第２カラーパターン４２１ｃ及び第３カラーパターン４３１ｃを形成する場合に比べて、費用を削減することができる。また、導光板３００に対向する面に対応して全面に第２カラーパターン４２１ｃ及び第３カラーパターン４３１ｃを形成する場合に比べて、第２カラーパターン４２１ｃ及び第３カラーパターン４３１ｃと波長変換部材５００とにより波長変換されて放出される黄色の光も削減し得る。
【０１４９】
図２０は、本発明のまた他の実施形態によるバックライトアセンブリの第２反射部材４２２の正面図である。説明の便宜上、前述した図面に示す各エレメントと実質的に同じエレメントは同一符号で示し、重複する説明を省略する。また、第３反射部材は第２反射部材４２２と実質的に同じ形状を有するため、これに係る図面及び説明は省略する。
【０１５０】
図２０を参照すると、第２反射部材４２２の複数の第２カラーパターン４２２ｃのそれぞれの形状はドット形状を有し得、このようなドット形状のサイズは光源部２００から遠くなるほど減少する。このように、複数の第２カラーパターン４２２ｃの形状が変わることによって、複数の第２カラーパターン４２２ｃを覆う第２接着層４２２ｂの形状も複数の第２カラーパターン４２２ｃに対応するように変わる。
よって、光源部２００と隣接し、強い強度の青色光が入射される領域においては、広い面積を有する第２カラーパターン４２２ｃによって青色光を波長変換させて外部に放出できるため、青色光の漏出を防止できる。青色光の入射の強度に応じて第２カラーパターン４２２ｃの形状を調節することで、導光板３００に対向する面に対応して全面に第２カラーパターン４２２ｃを形成する場合に比べて、費用を削減することができる。また、導光板３００に対向する面に対応して全面に第２カラーパターン４２２ｃを形成する場合に比べて、第２カラーパターン４２２ｃと波長変換部材５００とにより波長変換されて放出される黄色の光も削減し得る。
【０１５１】
以上で本発明の実施形態を中心に説明したが、これは単なる例示であり、本発明を限定するものではなく、本発明が属する分野の通常の知識を有する者は、本発明の実施形態の本質的な特性から外れない範囲で上記例示していないものへの様々な変形と応用が可能であることが分かるであろう。例えば、本発明の実施形態に詳細に示した各構成要素は変形して実施することができる。また、このような変形と応用に係る差異点は添付する請求範囲で規定する本発明の範囲に含まれるものと解釈しなければならない。
【符号の説明】
【０１５２】
１００    表示パネル
１１０    第１基板
１２０    第２基板
２００    光源部
２１０    回路基板
２２０    光源
３００    導光板
３１０    入光面
３２０    対向面
３３０    第１側面
３４０    第２側面
３５０    支持面
３６０    出光面
４００、４０１    反射部材
４１０、４１１、４１２、４１３、４１４、４１５、４１６、４１７、４１８    第１反射部材
４１０ａ    第１反射層
４１０ｂ、４１１ｂ、４１２ｂ、４１３ｂ、４１４ｂ、４１５ｂ、４１６ｂ、４１７ｂ、４１８ｂ    第１接着層
４１０ｃ、４１１ｃ、４１２ｃ、４１３ｃ、４１４ｃ、４１５ｃ、４１６ｃ、４１７ｃ、４１８ｃ    第１カラーパターン
４１８ｃ−１    第１サブカラーパターン
４１８ｃ−２    第２サブカラーパターン
４２０、４２１、４２２    第２反射部材
４２０ａ    第２反射層
４２０ｂ、４２１ｂ、４２２ｂ    第２接着層
４２０ｃ、４２１ｃ、４２２ｃ    第２カラーパターン
４３０、４３１    第３反射部材
４３０ａ    第３反射層
４３０ｂ、４３１ｂ    第３接着層
４３０ｃ、４３１ｃ    第３カラーパターン
５００    波長変換部材
５１０    波長変換層
５２０    第１バリアー層
５３０    第２バリアー層
６００    光学シート
７００    反射板
８００    モールドフレーム
９００ａ    トップシャーシ
９００ｂ    ボトムシャーシ
【図１】
2015149272.tif 000003
【図２】
2015149272.tif 000004
【図３】
2015149272.tif 000005
【図４】
2015149272.tif 000006
【図５】
2015149272.tif 000007
【図６】
2015149272.tif 000008
【図７】
2015149272.tif 000009
【図８】
2015149272.tif 000010
【図９】
2015149272.tif 000011
【図１０】
2015149272.tif 000012
【図１１】
2015149272.tif 000013
【図１２】
2015149272.tif 000014
【図１３】
2015149272.tif 000015
【図１４】
2015149272.tif 000016
【図１５】
2015149272.tif 000017
【図１６】
2015149272.tif 000018
【図１７】
2015149272.tif 000019
【図１８】
2015149272.tif 000020
【図１９】
2015149272.tif 000021
【図２０】
2015149272.tif 000022